(57)【要約】本発明は、光軸（４１）を有する対物レンズ（４５）を含む光走査デバイス（１５）に関する。走査デバイスは、対物レンズを少なくとも光軸と平行な方向に変位させることができるアクチュエーター（５７）を含む。アクチュエーターは、磁気ユニット（６１）及び磁気ユニットと協働する電気コイルユニット（６３）を含む。本発明に従って、磁気ユニットは、その全体において、光軸に垂直なＸ方向に平行な方向で見たとき、コイルユニットの隣及び外側に位置決めされ、コイルユニットの一部分（９５、９７、１０１、１０３、１０７、１０９）は、磁気ユニットの漂遊磁界（１１３、１１７）中に存在する。結果として、コイルユニット及び対物レンズを運ぶ走査デバイスの動く部分の寸法及び質量を、比較的小さく保つことができる。
2004504687.tif 000002
【特許請求の範囲】
【請求項１】
光学的に走査可能な情報担体の情報層を走査する光走査デバイスであって、
該走査デバイスには、放射源、動作中に前記放射源によって供給される放射ビームを前記情報層における走査スポットへ収束させる、光軸を有する光学レンズ系、及び少なくとも前記光軸に平行な方向において前記走査デバイスの静止部分に対して前記レンズ系を変位させることができるアクチュエーターが提供され、
前記アクチュエーターには、前記レンズ系に対して固定された位置に配置される電気コイル系、及び前記静止部分に対して固定された位置に配置される磁気系が提供され、
前記磁気系は、前記光軸に垂直に延びるＸ方向に平行に見ると、その全体において前記コイル系の隣及び外側に配置され、
前記コイル系の少なくとも一部分は、前記磁気系の漂遊磁界中に置かれることを特徴とする光走査デバイス。
【請求項２】
前記磁気系は、それらの全体において、それぞれ前記レンズ系の第一の側面、及び前記Ｘ方向に平行な方向で見ると前記第一の側面と反対側にある前記レンズ系の第二の側面に近い前記コイル系の隣及び外側に各々配置される第一の部分及び第二の部分を含み、
前記第一の側面の近くに配置される前記コイル系の第一の部分、及び前記第二の側面の近くに配置される前記コイル系の第二の部分は、少なくとも部分的に、それぞれ前記磁気系の前記第一の部分及び前記第二の部分における漂遊磁界中に置かれることを特徴とする請求項１記載の光走査デバイス。
【請求項３】
前記磁気系の前記第一の部分及び前記第二の部分、並びに前記コイル系の前記第一の部分及び前記第二の部分は、前記Ｘ方向に平行な方向で見ると、前記光軸に対して対称的に配置されることを特徴とする請求項２記載の光走査デバイス。
【請求項４】
前記磁気系の前記第一の部分及び前記第二の部分は、各々、前記光軸に平行な方向で見ると相互に隣に配置され、それぞれ前記Ｘ方向に平行及び前記Ｘ方向と反対向きのＸ’方向に平行に延びる磁化の方向を有する、第一及び第二の永久磁石を少なくとも含むと共に、
前記コイル系の前記第一の部分及び前記第二の部分は、各々、前記Ｘ方向に垂直及び前記光軸に垂直に延びるワイヤの部分が提供される第一の部分及び第二の部分を有する電気コイルを少なくとも含み、
前記コイル系の前記第一の部分における前記コイルの前記第一及び前記第二の部分は、前記Ｘ方向に平行な方向で見ると、それぞれ前記磁気系の前記第一の部分における前記第一及び前記第二の磁石と直接向かい合って配置され、
前記コイル系の前記第二の部分における前記コイルの前記第一及び前記第二の部分は、前記Ｘ方向に平行な方向で見ると、それぞれ前記磁気系の前記第二の部分における前記第一及び前記第二の磁石と直接向かい合って配置されることを特徴とする請求項２又は３記載の光走査デバイス。
【請求項５】
前記磁気系の前記第一の部分及び前記第二の部分は、各々、前記光軸に平行な方向で見ると相互に隣に配置され、それぞれ前記Ｘ方向に平行及び前記Ｘ方向と反対向きのＸ’方向に平行に延びる磁化の方向を有する少なくとも二つの永久磁石を含むと共に、
前記コイル系は、前記Ｘ方向に垂直及び前記光軸に垂直に延びるワイヤの部分が提供される第一の部分及び第二の部分を有する少なくとも一つの電気コイルを含み、
前記コイルの前記第一の部分及び前記第二の部分は、前記Ｘ方向に平行な方向で見ると、それぞれ前記磁気系の前記第一の部分の前記二つの磁石の一つ及び前記磁気系の前記第二の部分の前記二つの磁石の一つと直接向かい合って配置されることを特徴とする請求項２又は３記載の光走査デバイス。
【請求項６】
前記Ｘ軸は、前記情報層に存在する情報トラックに対して横に延びること、並びに、
前記磁気系の前記第一の部分及び前記第二の部分は、各々、前記光軸に平行に見ると相互に隣に配置され、それぞれ前記Ｘ方向に平行及び前記Ｘ方向と反対向きの前記Ｘ’方向に平行に延びる磁化の方向を有する少なくとも二つの永久磁石を含むと共に、
前記コイル系は、前記Ｘ方向に垂直及び前記光軸に垂直に延びるワイヤの部分が提供される第一の部分及び第二の部分を有する電気コイルを含み、
前記コイルの前記部分は、前記光軸に平行な方向で見ると、それぞれ前記磁気系の前記第一の部分及び前記第二の部分の前記二つの磁石の遷移領域に配置されることを特徴とする請求項２又は３記載の光走査デバイス。
【請求項７】
前記Ｘ方向は、前記情報層に存在する情報トラックに少なくとも実質的に平行に延びること、並びに、
前記コイル系の前記第一の部分及び前記第二の部分は、各々、前記光軸に平行に延びるワイヤの部分が提供される第一の部分及び第二の部分を有する少なくとも一つの更なる電気コイルを含み、
前記コイル系の前記第一の部分における前記さらなるコイルの前記第一の部分及び前記第二の部分は、前記Ｘ方向に平行な方向で見ると、それぞれ前記第一の磁石及び前記磁気系の前記第一の部分の磁化可能な部分と直接向かい合って配置され、
前記磁化可能な部分は、前記光軸に垂直及び前記Ｘ方向に垂直に見ると、前記第一の磁石の隣に置かれ、
前記コイル系の前記第二の部分における前記さらなるコイルの前記第一の部分及び前記第二の部分は、前記Ｘ方向に平行な方向で見ると、それぞれ前記第一の磁石及び前記磁気系の前記第二の部分の磁気可能な部分に直接向かい合って配置され、
前記磁気可能な部分は、前記光軸に垂直及び前記Ｘ方向に垂直に見ると、前記第一の磁石の隣に置かれることを特徴とする請求項４又は５記載の光走査デバイス。
【請求項８】
光学的に走査可能な情報担体の情報層を走査する光走査デバイス、回転軸のまわりに回転できるテーブルを含む光再生器であって、
前記テーブルに前記情報担体を置くことができ、
前記走査デバイスには、放射源、動作中に前記放射源によって供給される放射ビームを前記情報層における走査スポットに収束する光軸を有する光学レンズ系、前記レンズ系を前記走査デバイスの静止部分に対して少なくとも前記光軸に平行な方向で変位させることができるアクチュエータ、及び前記走査デバイスの少なくとも前記レンズ系を前記回転軸に対して主として半径方向に変位させることができる変位デバイス、が提供され、
前記光走査デバイスは、請求項１、２、３、４、５、６、又は７記載の光走査デバイスであることを特徴とする光再生器。
【発明の詳細な説明】
【０００１】
本発明は、光学的に走査可能な情報担体の情報層を走査する為の光走査デバイスに関し、その走査デバイスには、放射源、動作中に放射源によって供給される放射ビームを情報層における走査スポットへ収束させる為の光軸を有する光学レンズ系、及び少なくとも光軸に平行な方向において走査デバイスの静止部分に対してレンズ系を変位させることができるアクチュエーターが提供され、アクチュエーターには、レンズ系に対して固定された位置に配置される電気コイル系、及び静止部分に対して固定された位置に配置される磁気系が提供される。
【０００２】
本発明は、また、光学的に走査可能な情報担体の情報層を走査する為の光走査デバイス（前記走査デバイスには放射源が提供される）、回転軸のまわりに回転することができるテーブル（テーブルには情報担体を置くことができる）、動作中に放射源によって供給される放射ビームを情報層における走査スポットへ収束させる為の光軸を有する光学レンズ系、及び、レンズ系を走査デバイスの静止部分に対して少なくとも光軸に平行な方向で変位させることができるアクチュエーター、及び、少なくとも走査デバイスのレンズ系を、回転軸に対して主として放射方向に変位させることができる変位デバイスを含む光再生器にも関する。
【０００３】
開始の段落で述べたタイプの光走査デバイスは、米国特許第５，６５７，１７２号から知られている。既知の走査デバイスを適切に使用して、例えばＣＤを読み取る及び／又は書き込むことができる。アクチュエータによって、走査デバイスの静止部分に対する情報層の位置の逸脱にもかかわらず、レンズ系と情報層との間に存在する距離は、できる限り一定であり、放射ビームを、できる限り正確に情報層に収束させるように、走査デバイスのレンズ系を、動作中に、光軸に平行な方向に変位させることができる。既知である走査デバイスのアクチェータの磁気系は、磁化の方向が光軸に垂直に延びる永久磁石を含む。永久磁石は、磁気系の基体部分を介して第二のヨークに接続される磁気系の第一のヨークに提供される。第二のヨークと永久磁石との間には、永久磁石の磁化の方向と実質的に平行に向く、磁界が存在する空隙がある。その空隙においては、光軸に垂直及び磁化の方向に垂直に延びるワイヤの部分を含む、コイル系における第一の電気コイルの部分、並びに光軸に平行に延びるワイヤの部分を含む、コイル系における第二及び第三の電気コイルの部分がある。磁界と第一のコイルを通る電流との間の相互作用は、光軸に平行に向くローレンツ力を引き起こし、その影響下で、レンズ系が光軸に平行な方向に変位して放射ビームを情報層に収束させる。磁界と第二及び第三のコイルを通る電流との間の相互作用は、光軸に垂直に向くローレンツ力を引き起こし、その影響下で、レンズ系がトラッキング方向に変位し情報層に存在する情報トラックをたどる。
【０００４】
既知の光走査デバイスのアクチュエータにおいて、第一のヨーク及び永久磁石は、第一のコイルのコイルホルダーによって囲まれる。レンズ系は、磁化の方向に平行な方向で見るとコイルホルダーの隣に配置されてコイルホルダーに固定される、レンズホルダーに固定される。結果として、レンズ系、レンズホルダー、コイルホルダー、及び三つのコイルを含む、アクチュエータによって動き得る既知の走査デバイスの部分は、比較的大きな寸法を有し、また可動部分の質量も比較的大きい。
【０００５】
本発明の目的は、開始の段落で述べたタイプの光走査デバイスを提供することであり、ここでアクチュエータによって動かされ得る走査デバイスの部分の寸法及び質量は制限される。
【０００６】
この目的を達成する為に、本発明に一致する光走査デバイスは、磁気系は、光軸に垂直に延びるＸ方向に平行に見ると、それの全体においてコイル系の隣及び外側に配置され、コイル系の少なくとも一部分は、磁気系の漂遊磁界中に置かれることを特徴とする。“漂遊磁界”という表現は、磁気系における二つの極の間に延びる磁界を意味すると解釈され、前記極は、相互に直接向かい合っており、磁界を実質的に真っ直ぐにさせる空隙を囲む代わりに、例えば相互に隣に置かれ、二つの極の間における磁界を相当な程度にまで曲げることを引き起こす。本発明に一致する走査デバイスにおいて、磁気系がそれの全体においてコイル系の隣及び外側に置かれるので、極のこのような互いの位置が必要である。レンズ系を変位させることに必要なローレンツ力は、動作中に、前記漂遊磁界とコイル系の電流との間の相互作用によって発生する。磁気系が、それの全体において、コイル系の隣及び外側に置かれると、コイル系内に存在する空間を使用して、レンズ系のような、走査デバイスの可動部分における他の構成要素を収容することができる。走査デバイスの可動部分の寸法は、実質的にそれによって制限される。レンズ系及びコイル系に対する必要なホルダー又はキャリアの寸法も実質的に制限されると、走査デバイスの可動部分の質量も実質的に制限される。
【０００７】
本発明に一致した光走査デバイスの特定の実施例は、磁気系が、それらの全体において、それぞれレンズ系の第一の側面、及びＸ方向に平行な方向で見ると第一の側面と反対側にあるレンズ系の第二の側面に近いコイル系の隣及び外側に各々配される第一の部分及び第二の部分を含み、第一の側面の近くに配置されるコイル系の第一の部分、及び第二の側面の近くに配置されるコイル系の第二の部分は、少なくとも部分的に、それぞれ磁気系の第一の部分及び第二の部分における漂遊磁界中に置かれることを特徴とする。コイル系の前記二つの部分と協働するレンズ系の二つの向かい合う側面に配置される前記二つの部分が磁気系に提供されると、レンズ系のアクチュエーターに用いられ得る力は、走査デバイスの変位可能な部分の寸法及び質量の増加無しに、実質的に増加する。
【０００８】
本発明に一致する光走査デバイスのさらなる実施例は、磁気系の第一の部分及び第二の部分、並びにコイル系の第一の部分及び第二の部分が、Ｘ方向に平行な方向で見ると、光軸に対して対称的に配置されることを特徴とする。その効力によって、レンズ系のアクチュエーターに用いられる力が、走査デバイスの変位可能な部分の質量中心にできるだけ多く一致し、その結果としてアクチュエータの動的作用を改善することを達成する。
【０００９】
本発明に一致する光走査デバイスの更に別の実施例は、磁気系の第一の部分及び第二の部分は、各々、光軸に平行な方向で見ると相互に隣に配置され、それぞれＸ方向に平行及びＸ方向と反対向きのＸ’方向に平行に延びる磁化の方向を有する、第一及び第二の永久磁石を少なくとも含むと共に、コイル系の第一の部分及び第二の部分は、各々、Ｘ方向に垂直及び光軸に垂直に延びるワイヤの部分が提供される第一の部分及び第二の部分を有する電気コイルを少なくとも含み、コイル系の第一の部分におけるコイルの前記第一及び前記第二の部分は、Ｘ方向に平行な方向で見ると、それぞれ磁気系の第一の部分における第一及び第二の磁石と直接向かい合って配置され、コイル系の第二の部分におけるコイルの前記第一及び前記第二の部分は、Ｘ方向に平行な方向で見ると、それぞれ磁気系の第二の部分における第一及び第二の磁石と直接向かい合って配置されることを特徴とする。第一及び第二の永久磁石が相互に隣に配置されると、弧状の漂遊磁界が、第一及び第二の磁石の極の間における磁気系の両方の部分に存在する。コイル系の各々の部分におけるコイルの第一及び第二の部分が、磁気系の関連した部分の第一及び第二の磁石と直接向かい合って配置されると、コイルの二つの部分は、磁力線が実質的に磁石の磁化の方向に平行である前記漂遊磁界の部分に置かれる。漂遊磁界のこの部分とコイルを通る電流との間の相互作用は、コイル系の両方の部分で発生する比較的大きなローレンツ力を引き起こし、そのローレンツ力は、光軸に平行に向き、レンズ系は、前記ローレンツ力の影響下で光軸に平行な方向に変位可能である。
【００１０】
本発明に一致する光走査デバイスの特定の実施例は、磁気系の第一の部分及び第二の部分が、各々、光軸に平行な方向で見ると相互に隣に配置され、それぞれＸ方向に平行及び前記Ｘ方向と反対側のＸ’方向に平行に延びる磁化の方向を有する少なくとも二つの永久磁石を含むと共に、コイル系は、Ｘ方向に垂直及び光軸に垂直に延びるワイヤの部分が提供される第一の部分及び第二の部分を有する少なくとも一つの電気コイルを含み、コイルの前記第一の部分及び前記第二の部分は、Ｘ方向に平行な方向で見ると、それぞれ磁気系の第一の部分の二つの磁石の一つ及び磁気系の第二の部分の二つの磁石の一つと直接向かい合って配置されることを特徴とする。この特定の実施例において、コイルの第一の部分及び第二の部分は、それぞれ、磁気系の二つの部分の一つの永久磁石の漂遊磁界の一部分に置かれる。漂遊磁界の前記部分において、磁力線は、磁石の磁化の方向に実質的に平行に向く。漂遊磁界のこの部分とコイルを通る電流との間の相互作用は、また光軸と平行に延びる、コイル系の両方の部分で発生する比較的大きなローレンツ力を引き起こし、レンズ系は、前記ローレンツ力の影響下で光軸に平行な方向に変位可能である。
【００１１】
本発明に一致して光走査デバイスのさらなる実施例は、Ｘ軸が情報層に存在する情報トラックに対して横に延びること、並びに磁気系の第一の部分と第二の部分が、各々、光軸に平行に見ると相互に隣に配置され、それぞれＸ方向に平行及びＸ方向と反対向きのＸ’方向に平行に延びる磁化の方向を有する少なくとも二つの永久磁石を含むと共に、コイル系は、Ｘ方向に垂直及び光軸に垂直に延びるワイヤの部分が提供される第一の部分及び第二の部分を有する電気コイルを含み、コイルの部分は、光軸に平行な方向で見ると、それぞれ磁気系の第一の部分及び第二の部分の二つの磁石の遷移領域に配置されることを特徴とする。第一及び第二の永久磁石が相互に隣に配置されると、弧状の漂遊磁界は、第一及び第二の磁石の極の間における磁気系の両方の部分に存在する。コイルの第一及び第二の部分が、それぞれ磁気系の第一及び第二の部分における二つの磁石の遷移領域に配置されると、コイルの両方の部分は、磁力線が磁石の磁化の方向におおよそ垂直及び光軸に実質的に平行に向く、磁気系の二つの部分の漂遊磁界の一部分に置かれる。漂遊磁界のこの部分とコイルを通る電流との間の相互作用は、Ｘ方向に平行に向く比較的大きなローレンツ力が発生することを引き起こし、そのローレンツ力の影響下で、レンズ系を情報トラックに対して横方向に変位させることができるので、レンズ系を、情報トラックの上で真っ直ぐであるように位置決めすることができる。
【００１２】
更に、本発明に一致する光走査デバイスの更なる実施例は、Ｘ方向が、情報層に存在する情報トラックに少なくとも実質的に平行に延びること、コイル系の第一の部分及び第二の部分が、各々、光軸に平行に延びるワイヤの部分が提供される第一の部分及び第二の部分を有する少なくとも一つの更なる電気コイルを含み、コイル系の第一の部分におけるさらなるコイルの第一の部分及び第二の部分は、Ｘ方向に平行な方向で見ると、それぞれ第一の磁石及び磁気系の第一の部分の磁化可能な部分に直接向い合って配置され、その磁化可能な部分は、光軸に垂直及びＸ方向に垂直に見ると、第一の磁石の隣に置かれ、コイル系の第二の部分におけるさらなるコイルの第一の部分及び第二の部分は、Ｘ方向に平行な方向で見ると、それぞれ第一の磁石及び磁気系の第二の部分の磁気可能な部分に直接向かい合って配置され、その磁気可能な部分は、光軸に垂直及びＸ方向に垂直に見ると、第一の磁石の隣に置かれることを特徴とする。第一の永久磁石及び前記磁化可能な部分が、相互に隣に配置されると、弧状の漂遊磁界は、第一の永久磁石の極の間における磁気系と前記磁化可能な部分との両方の部分に存在する。コイル系の各々の部分における更なるコイルの第一及び第二の部分が第一の永久磁石及び磁気系の関連した部分の磁気可能な部分に直接向かい合って配置されると、更なるコイルの両方の部分は、磁力線が永久磁石の磁化の方向に実質的に平行に延びる前記漂遊磁界の一部分に置かれる。漂遊磁界のこの部分と更なるコイルを通る電流との間の相互作用は、比較的大きなローレンツ力がコイル系の両方の部分に発生することを引き起こし、そのローレンツ力は、Ｘ方向に垂直及び光軸に垂直に向き、レンズ系は、前記ローレンツ力の影響下で情報トラックに対して横方向に変位可能であるので、レンズ系を、情報トラックの上で真っ直ぐであるように位置決めすることができる。
【００１３】
開始の段落に述べたタイプの光再生器は、本発明に一致して、その中で使用される光走査デバイスは、本発明に一致する光走査デバイスであることを特徴とする。
【００１４】
本発明に一致する光走査デバイス及び光再生器の多くの実施例を、以後図面を参照してより詳細に説明するつもりである。
【００１５】
図１は、回転軸３の周囲で回転させてフレーム７に固定された電気モータ５によって駆動させることができるテーブル１を含む、本発明に一致する光再生器を図で示す。ＣＤのような光学的に走査可能な情報担体９をテーブル１に置くことができ、その情報担体には、スパイラル形状の情報トラックを有する情報層１３が存在するディスク形状の基板１１が提供される。情報層１３は、透明な保護層１４で覆われる。光再生器は、情報担体９の情報層１３に存在する情報トラックを光学的に走査する為の、本発明に一致する光走査デバイス１５をさらに含む。走査デバイス１５を、光再生器の変位デバイス１７によって、主として二つの向かい合う半径方向Ｙ及びＹ’に回転軸３に対して変位させることができる。この目的の為に、走査デバイス１５は、変位デバイス１７のスライド１９へ固定され、変位デバイス１７には、フレーム７に提供されＹ方向に平行に延びる直線ガイド２１が更に提供され、そのガイド上でスライド１９が変位可能でガイドされ、また、スライド１９をガイド２１上で変位させることができる電気モータ２３が提供される。動作中に、図１に示してない光再生器の電気制御ユニットが、モーター５及び２３を制御して、情報担体９の情報層１３に存在するスパイラル形状の情報トラックを走査デバイス１５で走査する様式で、情報担体９を回転の軸３の周囲で回転させ、同時に走査デバイス１５をＹ方向に平行に変位させる。走査の間に、情報トラックに存在する情報を、走査デバイス１５によって読み出すことができるか、又は情報を、走査デバイス１５によって情報トラックに書き込むことができる。
【００１６】
本発明に一致する光再生器に使用される本発明に一致する光走査デバイス１５を、図２に示す。走査デバイス１５には、光軸２７を有する半導体レーザーのような、放射源２５が提供される。走査デバイス１５は、放射源２５の光軸２７に対して４５°の角度で配置される透明板３１を含み、その透明板が放射源２５に面する反射面３３を含む、放射ビームスプリッター２９をさらに含む。走査デバイス１５は、光軸３７を有するコリメータレンズユニット３５及び光軸４１を有する光レンズ系３９を更に含み、コリメーターレンズユニット３５は、放射ビームスプリッター２９及びレンズ系３９の間に配置される。示した例において、コリメータレンズユニット３５は、一個のコリメーターレンズ４３を含むと共に、レンズ系３９は、一個の対物レンズ４５を含む。示した例において、コリメーターレンズユニット３５の光軸３７及びレンズ系３９の光軸４１は一致し、放射源２５の光軸２７と９０°の角度を含む。走査デバイス１５は、コリメーターレンズ３５に対して放射ビームスプリッターの後に配置されそれて自体既知であり通常使用されるタイプである光検出器４９をさらに含む。動作中に、放射源２５は、放射ビームスプリッター２９の反射面３３によって反射してレンズ系３９によって情報担体９の情報層１３における走査スポット５３に収束する放射ビーム５１を発生させる。放射ビーム５１は、レンズ系３９、コリメータレンズユニット３５、及び放射ビームスプリッター２９を介して光検出器４９に収束する、反射した放射ビーム５５を形成する為の情報層１３によって反射される。情報担体９に存在する情報を読み出す為に、放射源２５は、連続的な放射ビーム５１を発生させ、光検出器４９は、情報担体９の情報トラックにおける一連の基本的な情報の特徴に対応する検出信号を供給し、前記基本的な情報の特徴は、走査スポット５３に連続して存在する。情報担体９に情報を書き込む為に、放射源２５は、書き込まれる情報に対応する放射ビーム５１を発生させ、情報担体９の情報トラックにおける一連の連続的な基本的な情報の特徴は、走査スポット５３に発生する。本発明は、また光走査デバイスを含むことを述べることになり、ここで放射源２５、コリメーターレンズユニット３５、及びレンズ系３９は、相互に対して異なって配置される。例えば、本発明は、また、コリメーターレンズユニット３５の光軸３７及びレンズ系３９の光軸４１が相互に９０°の角度を含み、更なるミラーがコリメーターレンズユニット３５及びレンズ系３９の間に配置される実施例を含む。これらの実施例において、光走査デバイスは、レンズ系３９の光軸４１に平行な方向で見ると、減少した寸法を有する。本発明は、また例えば、放射源２５及びコリメーターレンズユニット３５をスライド１９でなくフレーム７に対して固定された位置に配置し、コリメーターレンズユニット３５の光軸３７を、半径方向Ｙ、Ｙ’に平行に向ける実施例を含む。これらの実施例に、レンズ系３９及びさらなるミラーのみを、スライド１９に提供するので、スライド１９の変位可能な質量を減少させる。
【００１７】
図２にさらに示すように、光走査デバイス１５は、以後より詳細に議論することになるアクチュエータ５７を含み、それによってレンズ系３９を、光軸４１に平行な方向における比較的小さな距離に亘って、またＹ方向に平行な方向における比較的小さな距離に亘って、走査デバイス１５の静止部分５９に対して変位させることができる。アクチュエーター５７により光軸４１に平行な方向にレンズ系３９を変位させることによって、走査スポット５３を、情報担体９の情報層１３において所望の正確さで収束させることができる。レンズ系３９を、アクチュエータ５７によってＹ方向に平行な方向で変位させることによって、走査スポット５３を、所望の正確さで、後に続く情報トラックにおいて維持する。この目的の為に、アクチュエータ５７を、光検出器４９からのトラッキング誤差信号もフォーカシング誤差信号も受ける、光再生器の前記制御ユニットによって制御する。
【００１８】
図３ａ及び３ｂは、アクチュエータ５７を図で示す。簡単の為に、図３ａは、アクチュエータ５７の磁気系６１及び電気コイル系６３のみを示す。図３ｂは、アクチュエータ５７の断面図であり、対物レンズ４５も、前記図に示す。磁気系６１は、走査デバイス１５の静止部分５９に対して固定された位置に配置されると共に、電気コイル系６３は、図３ｂにも示した走査デバイス１５のレンズホルダー６５に対して固定された位置に配置される。レンズホルダー６５は、それ自体既知で通常適用される様式で、例えば図３ａ及び３ｂに示してない四つの伸縮自在な金属棒によって静止部分５９に対してぶらさげられ、レンズホルダー６５は変位可能であると共に、棒を光軸４１に平行及び半径のＹ方向に平行な方向における小さな距離に亘って伸縮自在に変形し、伸縮自在な棒は電流をコイル系６３に供給する為にも使用される。
【００１９】
磁気系６１は、第一の部分６７及び第二の部分６９を含む。磁気系６１の第一の部分６７及び第二の部分６９は、それらの全体において、電気コイル系６３及びレンズホルダー６５の隣及び外側に各々配置され、それぞれレンズホルダー６５の第一の側面８３及び第二の側面８５の近くにあり、第二の側面は、Ｘ方向に平行な方向で見ると、第一の側面と反対側にある。ここに示すアクチュエータ５７の例において、Ｘ方向は、以後に説明することになる理由、即ちＸ方向が情報担体９の情報層１３に存在する情報トラックに垂直であるように向くことの為に、半径のＹ方向に平行であるように向く。第一の部分６７は、光軸４１に平行な方向で見ると、磁化可能な材料から製造される密閉ヨーク７５に相互に隣に配置される第一の永久磁石７１及び第二の永久磁石７３を含み、前記永久磁石は、それぞれＸ方向に平行に向く磁化Ｍの方向、Ｘ方向と反対向きのＸ’方向に平行に向く磁化Ｍ’の方向を有する。第二の部分６９は、光軸４１に平行な方向で見ると、磁化可能な材料から製造される密閉ヨーク８１において相互に隣に配置される第一の永久磁石７７及び第二の永久磁石７９を含み、その第一及び第二の永久磁石は、それぞれ、Ｘ方向に平行に向く磁化Ｍの方向、及び、Ｘ方向に反対向きのＸ’方向に平行に延びる磁化Ｍ’の方向を有する。電気コイル系６３は、第一の電気コイル８７、第二の電気コイル８９、及び第三の電気コイル９１を含む。第一の電気コイル８７は、レンズホルダー６５の第一の側面８３に置かれ、レンズホルダー６５と共に統合された第一のコイルホルダー８３に巻かれる。第一のコイル８７は、実質的にＸ方向に垂直に広がる仮想平面に延び、Ｘ方向に垂直で光軸４１に垂直に延びるワイヤの部分９５を含み、ワイヤの部分９７は、Ｘ方向に垂直で光軸４１に垂直に延びる。第二の電気コイル８９は、レンズホルダー６５の第二の側面８５に置かれ、レンズホルダー６５と共に統合された第二のコイルホルダー８９に巻かれる。第二のコイル８９もまた、実質的にＸ方向に垂直に向く仮想平面に延び、Ｘ方向に垂直で光軸４１に垂直に延びるワイヤの部分１０１を含み、ワイヤの部分１０３は、Ｘ方向に垂直で光軸４１に垂直に延びる。第三の電気コイル９１を、レンズホルダー６５と統合された第三のコイルホルダー１０５内に巻き、前記第三の電気コイルは、実質的に光軸４１に垂直に向く仮想平面に延びる。第三のコイル９１は、Ｘ方向に垂直で光軸４１に垂直に向くワイヤの部分１０７を含み、ワイヤの部分１０９は、Ｘ方向に垂直で光軸４１に垂直に向く。第一のコイル８７、及び第三のコイル９１のワイヤの部分１０７は、磁気系６１の第一の部分６７の漂遊磁界１１３中に置かれる、電気コイル系６３の第一の側面８３に配置される第一の部分１１１を形成する。第二のコイル８９、及び第三のコイル９１のワイヤの部分１０９は、磁気系６１の第二の部分６９の漂遊磁界１１７中に置かれる、電気コイル系６３の第二の側面８５に配置される第二の部分１１５を形成する。
【００２０】
図３ｂに示すように、第一のコイル８７のワイヤの部分９５及び９７は、Ｘ方向に平行な方向で見ると、それぞれ磁気系６１の第一の部分６７における第一の永久磁石７１及び第二の永久磁石７３の向こう側に、実質的に真っ直ぐに配置される。第二のコイル８９のワイヤの部分１０１、１０３は、Ｘ方向に平行な方向で見ると、それぞれ磁気系６１の第二の部分６９における第一の永久磁石７７及び第二の永久磁石７９と向かい合って実質的に真っ直ぐに配置される。磁石７１及び７３、並びに磁石７７及び７９が、相互に隣に配置され、アクチュエータ５７の可動部分、即ち対物レンズ４５、レンズホルダー６５、及びコイル８７、８９、９１が磁化可能な材料から作られる構成要素を含まないとき、磁石の極７１、７３及び７７、７９の間に存在する漂遊磁界１１３、１１７は、図３ｂで図示するように実質的に弧状である。ワイヤの部分９５、９７、１０１、１０３が、磁石７１、７３、７７、７９と向かい合って実質的に真っ直ぐに配置されると、ワイヤの部分９５、９７、１０１、１０３は、各々、磁力線が磁石７１、７３、７７、７９の磁化Ｍ、Ｍ’の方向に実質的に平行に向く、関連する漂遊磁界１１３、１１７の一部分に置かれる。漂遊磁界のこれらの部分１１３、１１７とＸ方向に垂直で光軸４１に垂直に向くワイヤの部分９５、９７、１０１、１０３を通る電流との間の相互作用は、ローレンツ力Ｆ１、Ｆ２、Ｆ３及びＦ４をワイヤの部分９５、９７、１０１、１０３に及ぼすことを引き起こし、そのローレンツ力は、光軸４１に実質的に平行に向く。第一のコイル８７及び第二のコイル８９は、ローレンツ力Ｆ１、Ｆ２、Ｆ３、及びＦ４が等しい方向に延びる様式で、直列に配置されるので、対物レンズ４５を、ローレンツ力Ｆ１、Ｆ２、Ｆ３、及びＦ４の影響下で、光軸４１に平行な方向に変位させることができる。図３ｂにおいてさらに示すように、第三のコイル９１のワイヤの部分１０７は、光軸４１に平行な方向で見ると、磁気系６１の第一の部分６７における永久磁石７１、７３の遷移領域１１９に存在する。同様に、第三のコイル９１のワイヤの部分１０９は、光軸４１に平行な方向で見ると、磁気系６１の第二の部分６９における永久磁石７７、７９の遷移領域１２１に存在する。ワイヤの部分１０７、１０９が、前記遷移領域１１９、１２１に配置されると、ワイヤの部分１０７、１０９は、各々、実質的に磁力線が磁石７１、７３、７７、７９の磁化Ｍ、Ｍ’の方向に垂直、即ち光軸４１に平行に向く、関連する漂遊磁界１１３、１１７の一部分に置かれる。漂遊磁界１１３、１１７のこれらの部分とＸ方向に垂直で光軸４１に垂直に向く第三のコイル９１のワイヤの部分１０７、１０９を通る電流との間の相互作用は、ローレンツ力Ｆ５、Ｆ６をワイヤの部分１０７、１０９に及ぼすことを引き起こし、そのローレンツ力はＸ方向に実質的に平行に向く。Ｘ方向が半径のＹ方向に平行に向くと、対物レンズ４５を、Ｙ方向に平行な方向において、即ち情報担体９の情報層１３に存在する情報トラックに垂直に、比較的小さな距離に亘るローレンツ力Ｆ５、Ｆ６の影響下で、変位させることができる。ワイヤの部分１０７と磁気系６１の第一の部分６７との間、ワイヤの部分１０９と磁気系６１の第二の部分６９との間の空間は、Ｙ方向に平行な方向における対物レンズ４５の前記変位を可能とするには十分である。
【００２１】
磁気系６１の第一の部分６７及び第二の部分６９が、それら全体において、電気コイル系６１の隣及び外側に配置されると、コイル系６１の内側に存在する空間を使用して、走査デバイス１５の可動部分の他の構成要素を収容する。図３ａ及び３ｂに示す例において、コイル系６１内に存在する空間を使用して、対物レンズ４５及びレンズホルダー６５を収容する。結果として、走査デバイス１５の可動部分の寸法を実質的に減少させる。対物レンズ４５をコイル系６１の内側に配置すると、走査デバイス１５は、前述したように、対物レンズ４５及びコイル系６１の両方で、小型で軽量な統合されたホルダーを含む。結果として、走査デバイス１５の可動部分の質量もまた実質的に制限される。両方の部分６７及び６９は、電気コイル系６１と協働する為の漂遊磁界１１３、１１７を有すると、コイル８７、８９、９１の比較的大きな部分は、前記漂遊磁界１１３、１１７に置かれる。結果として、コイル８７、８９、９１の比較的大きな部分を使用してローレンツ力を発生させるので、比較的大きな力を、アクチュエータ５７によって、対物レンズ４５に及ぼすことができ、前記アクチュエータ５７は、高い効率を有する。図３ａ及び３ｂが更に示すように、磁気系６１の第一の部分６７及び第二の部分６９、並びに電気コイル系６３の第一の部分１１１及び第二の部分１１５は、Ｘ方向に平行な方向で見ると、光軸４１に対して実質的に対称的に配置される。その効力によって、対物レンズ４５においてアクチュエータ５７によって及ぼされる合計の力は、走査デバイス１５の可動部分の質量中心と実質的に一致するので、アクチュエータ５７の動的な作用を改善することが達成される。
【００２２】
図４は、上述の走査デバイス１５におけるアクチュエータ５７の代わりに使用することができるアクチュエータ１２３の第二の実施例を図で示す。図３ａのように、図４は、簡単の為に、磁気系６１’及びアクチュエータ１２３の電気コイル系１２５のみを示す。上述のアクチュエータ５７の構成要素に対応するアクチュエータ１２３の構成要素を、対応する参照番号によって示す。以後、アクチュエータ１２３とアクチュエータ５７との間のわずかな差のみを議論する。
【００２３】
図４に示すように、アクチュエータ１２３の磁気系６１’は、アクチュエータ５７の磁気系６１に実質的に対応する。アクチュエータ１２３の電気コイル系１２５は、第一の電気コイル１２７、第二の電気コイル１２９、及び第三の電気コイル９１’を含む。第三のコイル９１’は、アクチュエータ５７の第三のコイル９１に実質的に対応し、第三のコイル９１’には、アクチュエータ５７の第三のコイル６１のように、磁気系６１’の第一の部分６７’の近くに配置されるワイヤの部分１０７’、磁気系６１’の第二の部分６９’の近くに配置されるワイヤの部分１０９’を提供し、動作中にローレンツ力を、Ｙ方向に平行な方向でこれらのワイヤの部分に及ぼす。第一の電気コイル１２７は、Ｘ方向に垂直で光軸４１に垂直に向くワイヤの部分９５’を含み、そのワイヤの部分は、Ｘ方向に平行な方向で見ると、磁気系６１’の第一の部分６７’における第一の永久磁石７１’と向かい合って真っ直ぐに配置され、ワイヤの部分１０３’は、Ｘ方向に垂直で光軸４１’に垂直に向き、そのワイヤの部分は、Ｘ方向に平行な方向で見ると、磁気系６１’の第二の部分６９’における第二の永久磁石７９’と向き合って真っ直ぐに配置される。第二の電気コイル１２９は、Ｘ方向に垂直で光軸４１’に垂直に向く、ワイヤの部分９７’を含み、そのワイヤの部分は、Ｘ方向に平行な方向で見ると、磁気系６１’の第一の部分６７’における第二の永久磁石７３’と向かい合って真っ直ぐに配置され、ワイヤの部分１０１’は、Ｘ方向に垂直で光軸４１’に垂直に向き、そのワイヤの部分は、Ｘ方向に平行な方向で見ると、磁気系６１’の第二の部分６９’における第一の永久磁石７７’と向かい合って真っ直ぐに配置される。第一のコイル１２７のワイヤの部分９５’及び１０３’は、ワイヤの部分１３１及び１３３によって相互に接続され、それらは、それぞれワイヤの部分１３５及び１３７に対して交差するように配置され、それらによって第二のコイル１２９のワイヤの部分９７’及び１０１’が相互に接続される。第一のコイル１２７及び第二のコイル１２９は、コイル系１２５を通る電流が第一のコイル１２７のワイヤの部分９５’及び第二のコイル１２９のワイヤの部分９７’に相互に反対向きの電流を導く様式で、直列に配置される。第一のコイル１２７及び第二のコイル１２９が相互に交差するように配置されると、ワイヤの部分９５’及び１０１’における電流が調整され、ワイヤの部分９７’及び１０３’における電流もまた調整され、その結果として、調整されたローレンツ力を、光軸４１’と平行な方向で、ワイヤの部分９５’、９７’、１０１’、１０３’に及ぼす。
【００２４】
図５ａ、５ｂ、及び５ｃは、上述の走査デバイス１５においてアクチュエータ５７の代わりに適用できる、アクチュエータ１３９の第三の実施例を図示する。簡単の為に、図５ａは、アクチュエータ１３９の磁気系１４１及び電気コイル系１４３のみを示す。図５ｂ及び５ｃは、アクチュエータ１３９の断面図であり、また対物レンズ４５”も示す。上述のアクチュエータ５７の構成要素に対応するアクチュエータ１３９の構成要素を、対応する参照番号によって示す。
【００２５】
アクチュエータ１３９の磁気系１４１は、走査デバイスの静止部分５９”に対して固定された位置に配置される、第一の部分１４５及び第二の部分１４７を含む。電気コイル系１４３は、図５ｂ及び５ｃに見られる、レンズホルダー１５３に対して固定された位置に配置される第一の部分１４９及び第二の部分１５１も含み、ここで対物レンズ４５”は固定される。レンズホルダー１５３は、図５ａ、５ｂ、及び５ｃに示してない四つの伸縮自在な金属棒によって、静止部分５９”に対してぶらさげられ、その伸縮自在な金属棒は、またコイル系１４３へ電流を供給する為にも使用される。磁気系１４１の第一の部分１４５及び第二の部分１４７は、各々、それら全体において電気コイル系１４３及びレンズホルダー１５３の隣及び外側に、並びにＸ方向に平行な方向で見ると、それぞれ、レンズホルダー１５３の第一の側面１５５及び第一の側面１５５と反対側の第二の側面１５３に配置される。アクチュエータ１３９の場合において、Ｘ方向は、以下で説明することになる理由の為に、半径のＹ方向に垂直で光軸４１に垂直に、即ち情報担体９の情報層１３に存在する情報トラックに実質的に平行に向く。簡単の為に、図５ｂ及び５ｃは、磁気系１４１の第一の部分１４５及びコイル系１４３の第一の部分１４９のみを示し、以後、これらの第一の部分１４５、及び１４９のみを議論する。第二の部分１４７及び１５１は、第一の部分１４５、及び１４９と同一であり、第一の部分１４５及び第二の部分１４７は、第一の部分１４９及び第二の部分１５１のように、Ｘ方向に平行な方向で見て、光軸４１”に対して対称的に配置される。
【００２６】
磁気系１４１の第一の部分１４５は、光軸４１”に平行な方向で見て、磁化可能な材料から製造される密閉ヨーク１５９において相互に隣に配置される第一の永久磁石７１”及び第二の永久磁石７３”を含み、前記永久磁石は、それぞれＸ方向に平行に向く磁化Ｍの方向、及びＸ’方向に平行に向く磁化Ｍ’の方向を有する。密閉ヨーク１５９は、基体部分１６１、第一の脚部１６３、及び第二の脚部１６５を含み、第一の永久磁石７１”は、Ｙ方向に平行に見て、二つの脚部１６３及び１６５の間に配置される。電気コイル系１４３の第一の部分１４９は、第一の電気コイル１６７、第二の電気コイル１６９、及び第三の電気コイル１７１を含む。第一の電気コイル１６７は、レンズホルダー１５３と共に統合された第一のコイルホルダー１７３に巻かれ、主にＸ方向に垂直に向く仮想平面内に延び、Ｙ方向に平行に向くワイヤの部分１７５、及びＹ方向に平行に向くワイヤの部分１７７を含む。第二及び第三の電気コイル１６９及び１７１は、それぞれ、レンズホルダー１５３とも統合されてコイルホルダー１７３と磁気系１４１の第一の部分１４５との間に配置される、第二のコイルホルダー１７９及び第三のコイルホルダー１８１に巻かれる。また、第二及び第三のコイル１６９及び１７１は、各々、主にＸ方向に垂直に向く仮想平面内に延び、それぞれ、光軸４１”に平行に向くワイヤの部分１８１及び１８３、並びに光軸４１”に平行に向くワイヤの部分１８５及び１８７を含む。
【００２７】
図５ｂに示すように、第一のコイル１６７のワイヤの部分１７５及び１７７は、Ｘ方向に平行な方向で見ると、それぞれ、磁気系１４１の第一の部分の第一の永久磁石７１”及び第二の永久磁石７３”と向かい合って実質的に真っ直ぐに配置される。上述のアクチュエータ５７と共通して、弧状の漂遊磁界１８９は、永久磁石７１”及び７３”の極との間に存在する。第一のコイル１６７のワイヤの部分１７５及び１７７が、永久磁石７１”及び７３”と向かい合っておおよそ真っ直ぐ配置されると、ワイヤの部分１７５及び１７７は、各々、磁力線が実質的に磁石７１”、７３”の磁化Ｍ、Ｍ’の方向と平行に向く漂遊磁界１８９の一部分に置かれる。
【００２８】
漂遊磁界１８９のこれらの部分と、Ｙ方向に平行に向く第一のコイル１６７のワイヤの部分１７５及び１７７を通る電流との間の相互作用は、ローレンツ力Ｆ１及びＦ２をワイヤの部分１７５及び１７７に及ぼすことを引き起こし、そのローレンツ力は、光軸４１”に平行に向き、対物レンズ４５”は、前記ローレンツ力の影響下で、光軸４１”に平行な方向で変位可能である。図５ｃに見られるように、第二のコイル１６９のワイヤの部分１８１及び１８３は、Ｘ方向に平行な方向で見ると、それぞれ密閉ヨーク１５９の第一の脚部１６３及び第一の永久磁石７１”と向かい合って実質的に真っ直ぐに配置され、第三のコイル１７１のワイヤの部分１８５及び１８７は、Ｘ方向に平行な方向で見ると、それぞれ、第一の永久磁石７１”及び密閉ヨーク１５９の第二の脚部１６５と向かい合って実質的に真っ直ぐに配置される。弧状の漂遊磁界１９１は、第一の永久磁石７１”の極と第一の脚部１６３との間に存在すると共に、弧状の漂遊磁界１９３は、第一の永久磁石７１”の極と第一の脚部１６５との間に存在する。第二のコイル１６９のワイヤの部分１８１及び１８３が、それぞれ、第一の脚部１６３及び第一の永久磁石７１”と向かい合って実質的に真っ直ぐに配置されると、ワイヤの部分１８１及び１８３は、各々、磁力線が第一の永久磁石７１”の磁化Ｍの方向に実質的に平行に延びる漂遊磁界１９１の一部分に置かれる。同じ理由の為に、第三のコイル１７１のワイヤの部分１８５及び１８７は、各々、磁力線が実質的に第一の永久磁石７１”の磁化Ｍの方向に平行に向く漂遊磁界１９３の一部分に置かれる。漂遊磁界１９１及び１９３のこれらの部分と、光軸４１”に平行に広がる第二のコイル１６９のワイヤの部分１８１、１８３を通る電流、及び光軸４１”に平行に延びる第三のコイル１７１のワイヤの部分１８５、１８７を通る電流、との間の相互作用は、ローレンツ力Ｆ３、Ｆ４、Ｆ５、及びＦ６をワイヤの部分１８１、１８３、１８５、１８７に及ぼすことを引き起こし、そのローレンツ力は、半径Ｙ方向に平行に向く。第二のコイル１６９及び第三のコイル１７１は、ローレンツ力Ｆ３、Ｆ４、Ｆ５、及びＦ６を調整する様式で、直列に配置されるので、対物レンズ４５”を、ローレンツ力Ｆ３、Ｆ４、Ｆ５、及びＦ６の影響下で、半径Ｙ方向に平行な方向に変位させることができる。
【００２９】
アクチュエータ１３９の場合において、Ｘ方向は、Ｙ方向に垂直に向き、ここで磁気系１４１の第一の部分１４５及び第二の部分１４７が相互に向かい合って配置され、その結果として、半径のＹ方向に平行な方向で見ると、アクチュエータ１３９の構成要素は、電気コイル系１４３及びレンズホルダー１５３の隣に置かれない。その効力によって、アクチュエータ１３９を、図６に図示する本発明に一致する光走査デバイス１９５の代替実施例において、特に適切に使用することができる。図６は、アクチュエータ１３９の磁気系１４１の第一の部分１４５及び第二の部分１４７を図示し、その部分は、半径のＹ方向に垂直に向くＸ方向に平行な方向で見ると、電気コイル１４３及びレンズホルダー１９７の両側で相互に向かい合って配置される。図６は、コイル系１４３の第一の部分１４９及び第二の部分１５１、走査装置１９５が一部を形成する本発明に一致する光再生器のターンテーブル１９９、ターンテーブル１９９の半径２１３に沿って示してない光再生器の変位デバイスによって比較的大きな距離に亘って変位させることができる走査デバイス１９５の静止部分２０１、レンズホルダー１９７が静止部分２０１に対してぶらさげられる伸縮自在のサスペンション素子２０３をさらに図示する。アクチュエータ１３９によって、レンズホルダー１９７を、半径２１３に沿って比較的小さな距離に亘って変位させることができ、それによって、サスペンション素子２０３を伸縮自在に変形する。図６にさらに示すように、光軸２０７を有する第一の対物レンズ２０５、光軸２１１を有する第二の対物レンズ２０９は、レンズホルダー１９７に提供され、光軸２０７、２１１は、両方ともターンテーブル１９９の半径２１３と交差する。二つの対物レンズ２０５、２０９を使用することによって、走査デバイス１９５を、例えばＣＤとＤＶＤ又はＤＶＤとＤＶＲのような、少なくとも二つの異なるタイプ又は規格の情報担体を走査する為に、適切に使用することができる。二つの対物レンズ２０５、２０９が半径２１３に置かれると、対物レンズ２０５、２０９を、光再生器の前記変位デバイスによって前記走査位置において交換することができるので、走査デバイス１９５は、半径２１３において定義される走査位置で対物レンズ２０５、２０９を交換する為の追加のアクチュエータを含む必要がない。対物レンズ２０５、２０９が両方とも、ターンテーブル１９９の回転軸からの最小半径Ｒｍｉｎに置かれる位置を読み出すことが可能であるとき、図６に示す状況において、半径のＹ方向に平行な方向で見ると、ターンテーブル１９９と第一の対物レンズ２０５との間の空間はほとんど無く、ここで第二の対物レンズは、最小半径Ｒｍｉｎに置かれる。アクチュエータ１３９は、半径のＹ方向に平行な方向で見ると、第一の対物レンズ２０５とターンテーブル１９９との間の構成要素を持たないので、アクチュエータ１３９は、特に走査デバイス１９５における使用に適切である。
【００３０】
本発明と一致した上述の光再生器によって、情報担体９の情報層１３を走査する間、情報層１３に存在する情報を読み出すこと、又は情報層１３に情報を書き込むことは可能である。本発明は、光再生器及び光走査デバイスにも関係し、それによって、情報担体の情報層に存在する情報のみを読み出すことができることを述べることになる。
【００３１】
最後に、本発明は、光走査デバイスの実施例も含み、ここで磁気系及び電気コイル系が、後述の走査デバイスの実施例と異なる様式で構成されることを述べる。例えば、本発明は、レンズホルダーの片側にのみ、磁気系がコイル系の隣及び外側に配置される実施例も含む。図３ａに示すアクチュエータ５７の場合において、このような実施例は、例えば、磁気系６１の第二の部分６９及び電気コイル系６３の第二のコイル８９を省くことによって、又は、図５ａに示すアクチュエータ１３９の場合において、磁気系１４１の第二の部分１４７及び電気コイル系１４３の第二の部分１５１を省くことによって、得られる。
【図面の簡単な説明】
【図１】本発明に一致する光再生器を示す図である。
【図２】図１に一致する光再生器に使用される本発明に一致する光走査デバイスを示す図である。
【図３ａ】図２に一致する光走査デバイスにおけるアクチュエータの第一の実施例を示す図である。
【図３ｂ】図３ａに一致するアクチュエータの断面図である。
【図４】図２に一致する光走査デバイスにおけるアクチュエータの第二の実施例を示す図である。
【図５ａ】図２に一致する光走査デバイスにおけるアクチュエータの第三の実施例を示す図である。
【図５ｂ】図５ａに一致するアクチュエータの断面図である。
【図５ｃ】図５ｂにおける線Ｖｃ−Ｖｃで切り取った断面図である。
【図６】本発明に一致する光走査デバイスの代替実施例を示す図であり、ここで図５ａに一致するアクチュエータを使用する。
【国際公開パンフレット】
2004504687.tif 000003
2004504687.tif 000004
2004504687.tif 000005
2004504687.tif 000006
2004504687.tif 000007
2004504687.tif 000008
2004504687.tif 000009
2004504687.tif 000010
2004504687.tif 000011
2004504687.tif 000012
2004504687.tif 000013
2004504687.tif 000014
2004504687.tif 000015
2004504687.tif 000016
2004504687.tif 000017
2004504687.tif 000018
2004504687.tif 000019
2004504687.tif 000020
2004504687.tif 000021
2004504687.tif 000022
2004504687.tif 000023
2004504687.tif 000024
2004504687.tif 000025
2004504687.tif 000026
2004504687.tif 000027
2004504687.tif 000028
2004504687.tif 000029
【国際調査報告】
2004504687.tif 000030
2004504687.tif 000031